(57)【要約】      （修正有）【課題】簡易構成でありながら簡単な作業で器体ケース内に取付基体を確実に圧接固定でき量産性やコスト面に秀れる水準器を提供する。【解決手段】取付基体２を、器体ケース３の一側内面に対して圧接する第一部２Ａと器体ケース３の対向反対側の内面に圧接する第二部２Ｂとをスライド機構Ｓを介してスライド自在に組み付けた構成とし、前記スライド機構Ｓは、前記第一部２Ａ，第二部２Ｂの組み付け当接面５，６を傾斜案内面５，６に形成し、この傾斜案内面５，６同志を当接して第一部２Ａに対して第二部２Ｂを傾斜方向にスライド自在に構成して前記第一部２Ａと第二部２Ｂとから成る取付基体２の全長を可変自在に構成し、この取付基体２の第一部２Ａに対して第二部２Ｂを押圧する押圧手段Ｐにより第一部２Ａに対して第二部２Ｂをスライド微動することで取付基体２の全長を微動してこの取付基体２を器体ケース３内に圧接固定し得るように構成した。【選択図】      図１
2007024790.tif 000002
【特許請求の範囲】
【請求項１】
液体及び気泡を封入した気泡管測定部を設けた取付基体、若しくは磁石体を設けた取付基体を器体ケース内に配設し、この器体ケースに設けた窓孔から前記気泡管測定部を視認できる所定位置に、若しくはこの器体ケースに設けた露出孔から前記磁石体を露出できる所定位置に、この取付基体の対向端部を器体ケースの内面に圧接してこの取付基体を器体ケース内に圧接固定する構成とした水準器において、前記取付基体を、器体ケースの一側内面に対して圧接する第一部と器体ケースの対向反対側の内面に圧接する第二部とをスライド機構を介してスライド自在に組み付けた構成とし、前記スライド機構は、前記第一部，第二部の組み付け当接面を傾斜案内面に形成し、この傾斜案内面同志を当接して第一部に対して第二部を傾斜方向にスライド自在に構成して前記第一部と第二部とから成る取付基体の全長を可変自在に構成し、この取付基体の第一部に対して第二部を押圧する押圧手段により第一部に対して第二部をスライド微動することで取付基体の全長を微動してこの取付基体を器体ケース内に圧接固定し得るように構成したことを特徴とする水準器。
【請求項２】
前記押圧手段は、締め付け部材の締め付け押圧によって前記取付基体の第一部に対して第二部を押圧して前記第一部に対して第二部を傾斜方向にスライド微動自在に構成したことを特徴とする請求項１記載の水準器。
【請求項３】
前記押圧手段は、前記締め付け部材として締め付けネジを採用し、この締め付けネジを前記取付基体の第一部，第二部のいずれか一方に挿通状態にして他方に螺合状態に設け、前記締め付けネジを挿通状態に設けた第一部若しくは第二部は、この締め付けネジを螺合状態に設けた第二部若しくは第一部と、この締め付けネジとに対して傾斜方向にスライド微動自在に構成し、この締め付けネジを締め付け螺動することでこの締め付けネジのネジ頭により第一部に対して第二部を押圧して前記第一部に対して第二部を傾斜方向にスライド微動自在に構成したことを特徴とする請求項２記載の水準器。
【請求項４】
前記取付基体の第一部の傾斜案内面若しくは第二部の傾斜案内面に前記締め付けネジを螺合し得る螺合孔を設け、この螺合孔に螺合した締め付けネジを挿通し得るネジ通孔を第二部の傾斜案内面若しくは第一部の傾斜案内面に設けると共に、このネジ通孔は前記取付基体の全長方向に長い長孔形状に形成したことを特徴とする請求項３記載の水準器。
【請求項５】
前記取付基体は、前記器体ケースの端部開口部からこの器体ケース内に挿入配設する構成とし、前記締め付けネジは、この取付基体の器体ケース内への挿入方向に沿って前記取付基体に設けた構成としたことを特徴とする請求項３，４のいずれか１項に記載の水準器。
【請求項６】
前記器体ケースに、この器体ケース内に配設した取付基体を所定位置に位置決め係止する位置決め係止部を設け、この位置決め係止部に係止状態に前記取付基体の対向端部を器体ケースの内面に圧接することで取付基体を器体ケース内に位置決め係止状態に圧接固定するように構成したことを特徴とする請求項１〜５のいずれか１項に記載の水準器。
【請求項７】
前記位置決め係止部は前記器体ケースに形成した切り欠き部とし、前記取付基体の端部をやや突出状態に形成してこの取付基体の端部を前記切り欠き部に係合係止状態に前記取付基体の対向端部を器体ケースの内面に圧接することで取付基体を器体ケース内に位置決め係止状態に圧接固定するように構成したことを特徴とする請求項６記載の水準器。
【発明の詳細な説明】
【技術分野】
【０００１】
本発明は、気泡及び液体を封入した気泡管測定部を器体ケースに設けてこの気泡管測定部により測定面の水平度若しくは垂直度を測定する水準器に関するものである。
【背景技術】
【０００２】
この種の水準器においては、一般に気泡管測定部を設けた取付基体を器体ケース内に配設し、この器体ケースに設けた窓孔から前記気泡管測定部を視認できる所定位置にこの取付基体を固定した構成である。
【０００３】
また、磁石を備えた水準器においては、一般に磁石体を設けた取付基体を器体ケース内に配設し、この器体ケースに設けた露出孔から前記磁石体が露出する所定位置にこの取付基体を固定した構成である。
【０００４】
このように、器体ケース内の所定位置に、気泡管測定部を設けた取付基体や磁石体を設けた取付基体を固定する方法は従来から様々なものが提案されており、例えば、器体ケース内に取付基体を配設してこの取付基体の端部を器体ケースの内面に圧接することで取付基体を器体ケース内に圧接固定し得るように構成したものがある。
【発明の開示】
【発明が解決しようとする課題】
【０００５】
本発明は、この取付基体を、スライド機構を介して第一部と第二部とをスライド自在に組み付けて第一部に対して第二部をスライドすることでこの取付基体の全長を可変自在に構成し、この取付基体を器体ケース内に配設し、この取付基体の第一部に対して第二部を押圧する押圧手段により第一部に対して第二部をスライド微動することで取付基体の全長を微動してこの取付基体の対向端部を器体ケースの内面に圧接することで、この取付基体を器体ケース内に圧接固定でき、簡易構成でありながら簡単な作業で器体ケース内に取付基体を確実に圧接固定できる画期的な水準器を提供するものである。
【課題を解決するための手段】
【０００６】
添付図面を参照して本発明の要旨を説明する。
【０００７】
液体及び気泡を封入した気泡管測定部１を設けた取付基体２、若しくは磁石体10を設けた取付基体２を器体ケース３内に配設し、この器体ケース３に設けた窓孔４から前記気泡管測定部１を視認できる所定位置に、若しくはこの器体ケース３に設けた露出孔14から前記磁石体10を露出できる所定位置に、この取付基体２の対向端部２ａを器体ケース３の内面に圧接してこの取付基体２を器体ケース３内に圧接固定する構成とした水準器において、前記取付基体２を、器体ケース３の一側内面に対して圧接する第一部２Ａと器体ケース３の対向反対側の内面に圧接する第二部２Ｂとをスライド機構Ｓを介してスライド自在に組み付けた構成とし、前記スライド機構Ｓは、前記第一部２Ａ，第二部２Ｂの組み付け当接面５，６を傾斜案内面５，６に形成し、この傾斜案内面５，６同志を当接して第一部２Ａに対して第二部２Ｂを傾斜方向にスライド自在に構成して前記第一部２Ａと第二部２Ｂとから成る取付基体２の全長を可変自在に構成し、この取付基体２の第一部２Ａに対して第二部２Ｂを押圧する押圧手段Ｐにより第一部２Ａに対して第二部２Ｂをスライド微動することで取付基体２の全長を微動してこの取付基体２を器体ケース３内に圧接固定し得るように構成したことを特徴とする水準器に係るものである。
【０００８】
また、前記押圧手段Ｐは、締め付け部材７の締め付け押圧によって前記取付基体２の第一部２Ａに対して第二部２Ｂを押圧して前記第一部２Ａに対して第二部２Ｂを傾斜方向にスライド微動自在に構成したことを特徴とする請求項１記載の水準器に係るものである。
【０００９】
また、前記押圧手段Ｐは、前記締め付け部材７として締め付けネジ７を採用し、この締め付けネジ７を前記取付基体２の第一部２Ａ，第二部２Ｂのいずれか一方に挿通状態にして他方に螺合状態に設け、前記締め付けネジ７を挿通状態に設けた第一部２Ａ若しくは第二部２Ｂは、この締め付けネジ７を螺合状態に設けた第二部２Ｂ若しくは第一部２Ａと、この締め付けネジ７とに対して傾斜方向にスライド微動自在に構成し、この締め付けネジ７を締め付け螺動することでこの締め付けネジ７のネジ頭７ａにより第一部２Ａに対して第二部２Ｂを押圧して前記第一部２Ａに対して第二部２Ｂを傾斜方向にスライド微動自在に構成したことを特徴とする請求項２記載の水準器に係るものである。
【００１０】
また、前記取付基体２の第一部２Ａの傾斜案内面５若しくは第二部２Ｂの傾斜案内面６に前記締め付けネジ７を螺合し得る螺合孔９を設け、この螺合孔９に螺合した締め付けネジ７を挿通し得るネジ通孔８を第二部２Ｂの傾斜案内面６若しくは第一部２Ａの傾斜案内面５に設けると共に、このネジ通孔８は前記取付基体２の全長方向に長い長孔形状に形成したことを特徴とする請求項３記載の水準器に係るものである。
【００１１】
また、前記取付基体２は、前記器体ケース３の端部開口部３ａからこの器体ケース３内に挿入配設する構成とし、前記締め付けネジ７は、この取付基体２の器体ケース３内への挿入方向に沿って前記取付基体２に設けた構成としたことを特徴とする請求項３，４のいずれか１項に記載の水準器に係るものである。
【００１２】
また、前記器体ケース３に、この器体ケース３内に配設した取付基体２を所定位置に位置決め係止する位置決め係止部11を設け、この位置決め係止部11に係止状態に前記取付基体２の対向端部２ａを器体ケース３の内面に圧接することで取付基体２を器体ケース３内に位置決め係止状態に圧接固定するように構成したことを特徴とする請求項１〜５のいずれか１項に記載の水準器に係るものである。
【００１３】
また、前記位置決め係止部11は前記器体ケース３に形成した切り欠き部12とし、前記取付基体２の端部２ａをやや突出状態に形成してこの取付基体２の端部２ａを前記切り欠き部12に係合係止状態に前記取付基体２の対向端部２ａを器体ケース３の内面に圧接することで取付基体２を器体ケース３内に位置決め係止状態に圧接固定するように構成したことを特徴とする請求項６記載の水準器に係るものである。
【発明の効果】
【００１４】
本発明は上述のように構成したから、気泡管測定部を設けた取付基体や、磁石体を設けた取付基体を、スライド機構を介して第一部と第二部とを組み付けて構成してこの第一部，第二部の組み付け当接面である傾斜案内面を当接して第一部に対して第二部を傾斜方向にスライド自在に構成して、この第一部と第二部とから成る取付基体の全長を可変自在と構成し、前記押圧手段によってこの取付基体の全長を可変調整することで、この取付基体の対向端部を器体ケースの内面に圧接してこの取付基体を器体ケースに圧接固定できる。
【００１５】
また、押圧手段は、単に取付基体の第一部に対して第二部を押圧できる構成であれば良いので、例えば、締め付けネジの締め付け押圧によって第一部に対して第二部を押圧す構成とするなど、簡易構成にして簡単な作業でこの取付基体の第一部に対して第二部を押圧できる構成を簡単に実現でき、よって、簡易構成にして簡単に取付基体の全長の微動を行える構成を実現できる。
【００１６】
よって、本発明は、簡易構成でありながら簡単な作業で器体ケース内に取付基体を確実に圧接固定でき、また、部品点数も少なく済み量産性に秀れコスト面においても秀れる秀れた水準器となる。
【００１７】
また、請求項２記載の発明においては、取付基体を器体ケース内に配設し、締め付け部材の締め付け螺動操作を行うだけの極めて簡単な作業で、取付基体の第一部に対して第二部を強固に押圧することが可能で、よって、この取付基体を簡単に、且つ確実に器体ケース内に圧接固定できる極めて実用性に秀れた水準器となる。
【００１８】
また、請求項３，４記載の発明においては、取付基体に設けた締め付けネジを締め付け螺動するだけでこの取付基体の第一部に対して第二部を押圧できる構成を簡単に達成でき、本発明を一層簡易に実現できる実用性に秀れた水準器となる。
【００１９】
また、請求項５記載の発明においては、器体ケース内に取付基体を簡単に挿入でき、また、取付基体を挿入した器体ケースの端部開口部からドライバーなどのネジを螺動操作する工具を挿入してこの器体ケース内に配設した取付基体に設けられた締め付けネジの締め付け作業を簡単に行うことができ、また、この締め付けネジが器体ケース内の空間に配設されるから外観を損ねることもないなど、一層実用性に秀れた水準器となる。
【００２０】
また、請求項６記載の発明においては、単に取付基体の対向端部を器体ケースの内面に圧接してこの取付基体を器体ケース内に圧接固定するのではなく、この取付基体を器体ケースに形成した位置決め係止部に係止状態にこの取付基体の対向端部を器体ケースの内面に圧接することで、位置決め状態にこの取付基体を圧接固定でき、よって、一層確実にこの取付基体を器体ケース内の所定位置に精度良く圧接固定しておくことが可能な実用性に秀れた水準器となる。
【００２１】
また、請求項７記載の発明においては、例えば、器体ケースの端部開口部から取付基体を挿入してこの器体ケースの奥方に取付基体を移動し、この取付基体のやや突出状態の端部が前記器体ケースに形成した切り欠き部に落ち込んだところで押圧手段により取付基体の端部対向部を器体ケースの内面に圧接することで、簡単にこの取付基体を器体ケース内の所定位置に位置決め状態に圧接固定でき、簡便にして確実に所定の位置に取付基体を圧接固定できる実用性に秀れた水準器となる。
【発明を実施するための最良の形態】
【００２２】
好適と考える本発明の実施形態（発明をどのように実施するか）を、図面に基づいて本発明の作用を示して簡単に説明する。
【００２３】
液体及び気泡を封入した気泡管測定部１を設けた取付基体２、若しくは磁石体10を設けた取付基体２を器体ケース３内に配設し、この器体ケース３に設けた窓孔４から前記気泡管測定部１を視認できる所定位置に、若しくはこの器体ケース３に設けた露出孔14から前記磁石体10を露出できる所定位置にこの取付基体２を配設する。
【００２４】
この取付基体２は、スライド機構Ｓを介してスライド自在に組み付けた第一部２Ａと第二部２Ｂとから成る構成で、前記第一部２Ａ，第二部２Ｂの組み付け当接面５，６を傾斜案内面５，６に形成し、この傾斜案内面５，６同志を当接して第一部２Ａに対して第二部２Ｂを傾斜方向にスライドすることでこの第一部２Ａと第二部２Ｂとから成る取付基体２の全長を可変自在に設けている。
【００２５】
この取付基体２を器体ケース３内に配設したまま、押圧手段Ｐによりこの取付基体２の第一部２Ａに対して第二部２Ｂを押圧すると、第一部２Ａに対して第二部２Ｂが前記傾斜案内面５，６に沿ってスライド微動してこの取付基体２の全長が微動する。よって、取付基体２の全長が長くなるようにこの取付基体２の全長を微動することで、取付基体２の第一部２Ａを前記器体ケース３の一側内面に圧接し第二部２Ｂを前記器体ケース３の対向反対側の内面に圧接してこの第一部２Ａと第二部２Ｂとから成る取付基体２を器体ケース３内に圧接固定できることとなる。
【００２６】
即ち、押圧手段Ｐの押圧をスライド機構Ｓを介して取付基体２の全長方向に向けて発揮させることができ、この押圧手段Ｐの押圧により取付基体２の全長方向の対向端部２ａを器体ケース３に圧接させて取付基体２を器体ケース３内に押圧固定できることとなる。
【００２７】
従って、押圧手段Ｐの押圧を解除することで取付基体２の第一部２Ａと第二部２Ｂとをフリーな状態（取付基体２の全長を長短自在な状態）にしておくことで器体ケース３の内面に対して取付基体２が圧接することなくスムーズに器体ケース３内に取付基体２を配設でき、この器体ケース３内に配設した取付基体２は、押圧手段Ｐによって第一部２Ａに対して第二部２Ｂを押圧することで簡単に器体ケース３内に圧接固定できる。
【００２８】
その為、本発明は、例えばネジや、ボルトとナットなどの締め付け部材７の締め付けによって第一部２Ａに対して第二部２Ｂを締め付け押圧するように構成すれば、たった一本のネジや、たった一組のボルトとナットなどの締め付け部材７を締め付け螺動する作業だけでこの取付基体２を簡単に、且つ確実に器体ケース３内に圧接固定できることとなる。
【００２９】
また、例えば、前記押圧手段Ｐは、前記締め付け部材７として締め付けネジ７を採用し、この締め付けネジ７を前記取付基体２の第一部２Ａ，第二部２Ｂのいずれか一方に挿通状態にして他方に螺合状態に設け、前記締め付けネジ７を挿通状態に設けた第一部２Ａ若しくは第二部２Ｂは、この締め付けネジ７を螺合状態に設けた第二部２Ｂ若しくは第一部２Ａと、この締め付けネジ７とに対して傾斜方向にスライド微動自在に構成し、この締め付けネジ７を締め付け螺動することでこの締め付けネジ７のネジ頭７ａにより第一部２Ａに対して第二部２Ｂを押圧して前記第一部２Ａに対して第二部２Ｂを傾斜方向にスライド微動自在に構成すれば、例えば、取付基体２の第一部２Ａ若しくは第二部２Ｂに螺合状態に設けた締め付けネジ７を締め付け螺動操作すると、この締め付けネジ７のネジ頭７ａが第一部２Ａに近接移動する為、この第一部２Ａ若しくは第二部２Ｂとネジ頭７ａとの間に介存する第二部２Ｂ若しくは第一部２Ａがネジ頭７ａに押圧され、よって、第一部２Ａに対して第二部２Ｂが締め付けネジ７に締め付け押圧されて第一部２Ａに対して第二部２Ｂが傾斜方向にスライド微動することとなる。
【００３０】
即ち、取付基体２を器体ケース３内に配設して締め付けネジ７を締め付け螺動するだけの極めて簡単な作業で取付基体２の全長を微動調整し確実にこの取付基体２の全長方向の対向端部２ａを器体ケース３の内面に圧接固定し、この器体ケース３内に取付基体２を圧接固定できることとなる。
【００３１】
よって、取付基体２に設けた締め付けネジ７を締め付け螺動するだけでこの取付基体２の第一部２Ａに対して第二部２Ｂを押圧できる構成を簡単に達成でき本発明を容易に実現できることとなる。
【００３２】
しかも、例えば、この取付基体２は、前記器体ケース３の端部開口部３ａからこの器体ケース３内に挿入配設する構成とし、前記締め付けネジ７は、この取付基体２の器体ケース３内への挿入方向に沿って前記取付基体２に設けた構成とすることで、器体ケース３の端部開口部３ａから挿入した取付基体２に設けた締め付けネジ７を、この器体ケース３の端部開口部３ａからドライバーを挿入して締め付け螺動操作できる構成とすることができ、一層簡便に取付基体２を器体ケース３内に圧接固定できる構成を簡単に実現できるうえに、この締め付けネジ７を器体ケース３内に配設できるから外観を損ねる心配も無く締め付けネジ７自体を外部の衝撃から保護してネジ緩みを阻止することにもなり、一層秀れた構成となる。
【００３３】
また、例えば、前記器体ケース３に、この器体ケース３内に配設した取付基体２を所定位置に位置決め係止する位置決め係止部11を設け、この位置決め係止部11に係止状態に前記取付基体２の対向端部２ａを器体ケース３の内面に圧接することで取付基体２を器体ケース３内に位置決め係止状態に圧接固定するように構成した場合には、単に取付基体２の対向端部２ａを器体ケース３の内面に圧接するだけでなく、この取付基体２を位置決め係止部11に係止状態に対向端部２ａを器体ケース３の内面に圧接することで、一層確実に器体ケース３内の所定位置にこの取付基体２を圧接固定できることとなる。
【００３４】
また、例えば、前記位置決め係止部11は前記器体ケース３に形成した切り欠き部12とし、前記取付基体２の端部２ａをやや突出状態に形成してこの取付基体２の端部２ａを前記切り欠き部12に係合係止状態に前記取付基体２の対向端部２ａを器体ケース３の内面に圧接することで取付基体２を器体ケース３内に位置決め係止状態に圧接固定するように構成したことを場合には、例えば、取付基体２を器体ケース３の端部開口部３ａからこの器体ケース３の奥方へと挿入していき、この取付基体２のやや突出状態に形成した端部２ａが前記器体ケース３に設けた切り欠き部12に落ち込む位置までこの取付基体２を挿入し、この位置で押圧手段Ｐにより取付基体２の対向端部２ａを器体ケース３の内面に圧接するだけの簡単な作業で、極めてスムーズに、且つ確実に取付基体２を器体ケース３の所定位置に位置決め状態に圧接固定できることとなる。
【００３５】
従って、本発明は、簡易構成でありながら簡単な作業で器体ケース３内に取付基体２を確実に圧接固定でき、また、部品点数も少なく済み量産性に秀れコスト面においても秀れる秀れた水準器となる。
【実施例】
【００３６】
本発明の具体的な実施例について図面に基づいて説明する。
【００３７】
本実施例は、液体及び気泡を封入した気泡管測定部１を設けた取付基体２を器体ケース３内に配設し、この器体ケース３に設けた窓孔４から前記気泡管測定部１を視認できる所定位置に、この取付基体２の対向端部２ａを器体ケース３の内面に圧接してこの取付基体２を器体ケース３内に圧接固定する構成とした水準器である。
【００３８】
取付基体２は、前記器体ケース３の一側内面に対して圧接する第一部２Ａと器体ケース３の対向反対側の内面に圧接する第二部２Ｂとをスライド機構Ｓを介してスライド自在に組み付けた構成としている。また、このスライド機構Ｓは、前記第一部２Ａ，第二部２Ｂの組み付け当接面５，６を傾斜案内面５，６に形成し、この傾斜案内面５，６同志を当接して第一部２Ａに対して第二部２Ｂを傾斜方向にスライド自在に構成して前記第一部２Ａと第二部２Ｂとから成る取付基体２の全長を可変自在に構成している。
【００３９】
具体的には、図１に図示したように、取付基体１の第一部２Ａは、正面視方形状の底部略中央位置から側部所定高さ位置（略中央高さ位置）に向けて上り傾斜する傾斜案内面５を有する形状に形成し、第二部２Ｂは、上方に向けて傾斜案内面６を有する平面視三角形状に形成した構成である。
【００４０】
また、図３に図示したように、この取付基体１の第一部２Ａの傾斜案内面５には、この傾斜案内面５に沿ってスライド案内溝５ａを形成し、第二部２Ｂの傾斜案内面６には、前記第一部２Ａのスライド案内溝５ａに係合する係合凸条６ａを形成し、このスライド案内溝５ａと傾斜係合凸条６ａとが係合するように第一部２Ａの傾斜案内面５と第二部２Ｂの傾斜案内面６とを組み付け当接することで第一部２Ａに対して第二部２Ｂが確実に傾斜案内面５，６の傾斜方向にスライドするように構成している。
【００４１】
また、本実施例では、この取付基体２の第一部２Ａに対して第二部２Ｂを押圧する押圧手段Ｐを備えている。
【００４２】
この押圧手段Ｐは、ネジや、ボルトとナットなどの締め付け部材７の締め付け押圧によって前記取付基体２の第一部２Ａに対して第二部２Ｂを押圧するように構成している。
【００４３】
従って、締め付け部材７を締め付け螺動するだけの単純作業で簡単に取付基体２の第一部２Ａに対して第二部２Ｂを押圧できる。
【００４４】
この締め付け部材７としては、本実施例では締め付けネジ７を採用し、この締め付けネジ７を前記取付基体２の第一部２Ａ，第二部２Ｂのいずれか一方に挿通状態にして他方に螺合状態に設けてこの締め付けネジ７のネジ頭７ａによってこの締め付けネジ７を挿通配設した第一部２Ａ若しくは第二部２Ｂを押圧し得るように構成すると共に、この締め付けネジ７を挿通配設した第一部２Ａ若しくは第二部２Ｂを、この締め付けネジ７に対して前記取付基体２の全長方向に相対移動可能に構成してこの締め付けネジ７の締め付け押圧により第一部２Ａに対して第二部２Ｂをスライド微動し得るように構成している。
【００４５】
また、この締め付けネジ７は第一部２Ａ，第二部２Ｂのどちらに挿通配設し、どちらに螺合配設する構成としても良いが、本実施例においては、図３に図示したように、取付基体２の第一部２Ａの傾斜案内面５若しくは第二部２Ｂの傾斜案内面６に前記締め付けネジ７を螺合し得る螺合孔９を設け、この螺合孔９に螺合した締め付けネジ７を挿通し得るネジ通孔８を第二部２Ｂの傾斜案内面６若しくは第一部２Ａの傾斜案内面５に設けた構成としている。尚、このネジ通孔８は図１及び図５に図示したように、取付基体２の全長方向に長い長孔形状に形成して、この第二部２Ｂのネジ通孔８に対して締め付けネジ７が取付基体２の全長方向に遊嵌状態に挿通配設されるように構成し、且つ、図５に図示したように、このネジ通孔８の内部空間が、正面視において上方程幅狭となる形状に形成している。
【００４６】
従って、前記押圧手段Ｐは、第一部２Ａの螺合孔９に螺合した締め付けネジ７を締め付け螺動操作すると第一部２Ａの傾斜案内面５に対してネジ頭７ａが近接する方向に微動しようとし、この第一部２Ａの傾斜案内面５とネジ頭７ａとの間に介存する第二部２Ｂは、前記第一部２Ａの傾斜案内面５に対してネジ頭７ａが近接方向に微動できるようにこの第二部２Ｂのネジ通孔８の内部空間が幅狭となる方向（即ち、締め付けネジ７に対して第二部２Ｂが下方に相対移動する方向）に押圧される。よって、この押圧手段Ｐの締め付けネジ７を締め付け螺動操作することで前記取付基体２の第二部２Ｂが第一部２Ａに対して傾斜下り方向にスライド微動し、前記取付基体２の全長が伸びる方向に微動する。
【００４７】
また、この取付基体２は、前記器体ケース３の端部開口部３ａからこの器体ケース３内に挿入配設する構成とし、前記締め付けネジ７をこの取付基体２の器体ケース３内への挿入方向に沿って前記取付基体２に設けられるように、この取付基体２の第一部２Ａに設けた螺合孔９はこの第一部２Ａの傾斜案内面５から前記取付基体２の器体ケース３内への挿入方向に沿って締め付けネジ７を螺入し得るように形成している。
【００４８】
従って、この取付基体２は、図２に図示したように、第一部２Ａの螺合孔９と第二部２Ｂのネジ通孔８との位置を合わせて締め付けネジ７をネジ通孔８から挿通して螺合孔９に螺合して第一部２Ａと第二部２Ｂとを組み付けた状態で、前記器体ケース３の端部開口部３ａからこの器体ケース３の奥方へと、前記取付基体２を側方から挿入した後、前記器体ケース３の端部開口部３ａからドライバーなどを差し込んで取付基体２に設けた締め付けネジ７を螺合操作することが可能である。また、締め付けネジ７が器体ケース３内に位置することとなるので見た目も良く器体ケース３内のスペースを有効に利用できる。
【００４９】
尚、押圧手段Ｐは締め付けネジ７によって第一部２Ａと第二部２Ｂとを締め付ける本実施例の構成に限られるものではなく、本実施例と同様の作用効果を発揮し得る構成であれば良い。
【００５０】
また、この取付基体２は、具体的には第一部２Ａ，第二部２Ｂのいずれか一方に気泡管測定部１を設ければ良いが、本実施例においては、第一部２Ａの上部に設けている。具体的には、取付基体２を、気泡管測定部１を埋設した気泡管式測定器15と、前記第一部２Ａと第二部２Ｂとから成り前記気泡管式測定器15を取り付け可能な取付部材13とから成る構成で、この取付部材13を構成する第一部２Ａの上部に前記気泡管式測定器15を嵌着可能な嵌着凹部16を設けた構成とし、この気泡管式測定器15と取付部材13とから成る取付基体２は、図２に図示したように、取付部材13を構成する第一部２Ａの上部に取り付けた気泡管式測定器15の上面をこの取付基体２の一端部２ａとし、取付部材13を構成する第二部２Ｂの下面をこの取付基体２のもう一方の端部２ａとし、この取付基体２の対向端部２ａが器体ケース３の内面に面接当接するように構成し、取付部材13の上部の嵌着凹部16に気泡管式測定器15を嵌着した状態の取付基体２を器体ケース３内に配設してこの取付基体２の対向端部２ａ、即ち、気泡管式測定器15の上面と第二部２Ｂの下面とを夫々器体ケース３の内面に圧接することで、この取付基体２を器体ケース３内に圧接固定すると共に気泡管式測定器15を嵌着凹部16内に抜け止め嵌着する構成である。
【００５１】
また、気泡管式測定器15は、気泡管測定部１を埋設した透明樹脂性の一般的な構成のものを採用し、この気泡管式測定器15を取り付ける取付部材13を構成する第一部２Ａや第二部２Ｂは樹脂成形によって傾斜案内面５，６や螺合孔９，ネジ通孔８を一体成形した構成とし、前記取付基体２を量産性に秀れる構成としている。
【００５２】
尚、この取付基体２の取付部材13は、本実施例においては二つの分割部材（第一部２Ａと第二部２Ｂ）をスライド機構Ｓを介して組み付けて成る構成としたが、例えば、この第一部２Ａと第二部２Ｂとの間にスライド機構Ｓを介して第三部（図示省略）を介存状態に組み付けて三つの分割部材（若しくはそれ以上の複数の分割部材）をスライド機構を介して組み付けて成る構成としても良い。
【００５３】
器体ケース３は、図１に図示したように、取付基体２をこの器体ケース３内に挿入配設する為の端部開口部３ａを有する形状であり、図４に図示したように、この器体ケース３の端部開口部３ａから取付基体２を挿入配設した後、この端部開口部３ａを閉塞するカバー17をこの端部開口部３ａに着脱可能な構成である。
【００５４】
また、この器体ケース３内の所定位置に圧接固定した取付基体２の気泡管測定部１を視認し得る窓孔４をこの器体ケース３の上部に有する形状である。
【００５５】
また、測定したい測定物に当てがう基準面３ｂ（図１中、下面）の略中央部が、円柱状の測定物にも良好にこの基準面３ｂを当てがうことができるように、基準面３ｂの中央部が器体ケース３の長さ方向に沿って内側に陥没した形状としており、この基準面３ｂの裏面にして器体ケース３の内側下面は取付基体２と良好に面接し得るように平面形状に形成した構成である。
【００５６】
また、前記器体ケース３に、この器体ケース３内に配設した取付基体２を所定位置に位置決め係止する位置決め係止部11を設け、この位置決め係止部11に係止状態に前記取付基体２の対向端部２ａを器体ケース３の内面に圧接することで取付基体２を器体ケース３内に位置決め係止状態に圧接固定するように構成している。
【００５７】
この位置決め係止部11は、前記器体ケース３に形成した切り欠き部12とし、前記取付基体２の端部２ａをやや突出状態に形成してこの取付基体２の端部２ａを前記切り欠き部12に係合係止状態に前記取付基体２の対向端部２ａを器体ケース３の内面に圧接することで取付基体２を器体ケース３内に位置決め係止状態に圧接固定するように構成している。
【００５８】
具体的には、図１，図２に図示したように、取付基体２の一端部２ａにして気泡管式測定器15の上面の中央部をやや上方に突出状態に形成し、前記器体ケース３の上方に切り欠き形成した窓孔４の上縁部を切り欠き部12とし、図４及び図８に図示したように、この切り欠き部12としての窓孔４に取付基体２のやや突出状態の一端（気泡管式測定器15の上面）を係合係止させた状態にこの取付基体２を器体ケース３内に圧接固定することでこの取付基体２を器体ケース３内に圧接固定し得るように構成している。
【００５９】
本実施例は、上述のように構成したから、第一部２Ａと第二部２Ｂとから成る取付部材13を締め付けネジ７を介して組み付け、この取付部材13の第一部２Ａの上部に設けた嵌着凹部16に気泡管式測定器15を嵌着して、図２に図示したように取付基体２を組み付け構成して、この取付基体２を、図５に図示したように器体ケース３の端部開口部３ａから器体ケース３の奥方へと圧入することなくスムーズに挿入できる。
【００６０】
この器体ケース３の端部開口部３ａから挿入した取付基体２を、図６に図示したようにこの取付基体２の一方の端部２ａである気泡管式測定器15のやや突出状態の上面と、器体ケース３に形成した窓孔４とが合う位置まで器体ケース３内を奥方へと挿入し、図７に図示したように器体ケース３の窓孔４に取付基体２の一方の端部２ａを係合係止する所定位置に取付基体２の位置を合わせる。この取付基体２を器体ケース３の所定位置に合わせる方法としては、例えば、器体ケース３内に取付基体２を挿入した後にこの器体ケース３を逆さにして取付基体２の一方の端部２ａが器体ケース３の窓孔に落ち込む位置まで取付基体２を奥方へスライド挿入させるなどして簡単に所定位置に合わせることができる。
【００６１】
このようにして取付基体２の一方の端部２ａを器体ケース３の窓孔４に係合係止した状態で、図８に図示したようにこの取付基体２に螺入した締め付けネジ７を締め付けて取付基体２の全長が伸びる方向（取付基体２の対向端部２ａが離間する方向）に第一部２Ａと第二部２Ｂとをスライド微動することで、取付基体２の対向端部２ａを器体ケース３の内面に圧接しこの取付基体２を器体ケース３の所定位置（丁度この取付基体２に設けた気泡管測定部１が器体ケース３の窓孔４から視認できる位置）に取付基体２を確実に圧接固定でき、取付部材13の嵌着凹部16に気泡管式測定器15を嵌着して組み付け構成した取付基体２を器体ケース３内に配設し、この器体ケース３内に配設した取付基体２の一方の突出状態の端部２ａを器体ケース３の窓孔４に合わせ、器体ケース３の端部開口部３ａからドライバーを挿入してこの取付基体２に設けた締め付けネジ７をたった一本締め付け螺動するだけの極めて簡単な作業によって作業効率良く組み立てが可能な極めて秀れた水準器となる。
【００６２】
よって、本実施例は、取付基体２を簡単な作業で確実に器体ケース３内に圧接固定できることは勿論、面倒な作業を要さずに取付基体２を簡単に器体ケース３内の所定位置に位置決め状態に圧接固定することもできるから簡単に精度良く器体ケース３内の所定位置に取付基体２を位置決め固定することができ、しかも、これらの組み立て性に秀れた極めて作業性に秀れた構成を単に気泡管式測定器２と、夫々が樹脂による一体成形品である第一部２Ａと第二部２Ｂとから成る取付部材13と、一本の締め付けネジ７とから成る極めて簡単な構成にして少ない部品点数で実現できるから量産も簡単に可能でコストアップの心配も一切無いなど、極めて実用性に秀れた画期的で商品価値の高い水準器となる。
【００６３】
尚、本実施例においては、取付基体２に気泡管測定部１を設け、この気泡管測定部１が器体ケース３に設けた窓孔４から視認できる所定位置に取付基体２を圧接固定することでこの器体ケース３に気泡管測定部１を設ける構成としたが、例えば、図９に図示したように、この取付基体２に気泡管測定部１ではなく磁石体10を設け、この磁石体10を設けた取付基体２を器体ケース３内に圧接固定することでこの器体ケース３に磁石体10を設けられるように構成しても良い。この場合は、図９に図示したように、前記器体ケース３に設けた露出孔14から前記磁石体10を露出できる所定位置に取付基体２を圧接固定するように構成すれば良く、また、取付基体２は、第一部２Ａと第二部２Ｂとから成る取付部材13に、磁石10ａを有する磁石体10（例えば、永久磁石10ａに金属板を吸着したもの）を取り付けて成り、図９に図示したようにこの取付部材13の第一部２Ａに取り付けた磁石体10の下部を取付基体２の一方の端部２ａとし、取付部材13の第二部２Ｂの上部を取付基体２のもう一方の端部２ａとし、この磁石体10のやや突出状態の下面（例えば、永久磁石10ａに吸着した金属板が永久磁石10の下面よりやや突出するように構成する。）を器体ケース３の基準面３ｂに設けた切り欠き部12としての露出孔14に係合係止した状態でこの取付基体２に設けた締め付けネジ７を締め付けて取付基体２の対向端部２ａを器体ケース３内に圧接固定することで、磁石体10が丁度露出孔14から露出して器体ケース３の基準面３ｂと略面一となるように取付基体２が器体ケース３の所定位置に位置決め状態に圧接固定するように構成した場合には、簡単に磁石体10を器体ケース３の基準面に３ｂに面一に設けることができる秀れた水準器となる。
【００６４】
尚、本発明は、本実施例に限られるものではなく、各構成要件の具体的構成は適宜設計し得るものである。
【図面の簡単な説明】
【００６５】
【図１】本実施例に係る水準器の分解斜視図である。
【図２】本実施例に係る水準器の取付基体２の説明斜視図である。
【図３】本実施例に係る水準器の取付基体２の説明斜視図である。
【図４】本実施例の使用状態を示す斜視図である。
【図５】本実施例の説明平面断面図である。
【図６】本実施例の説明平面断面図である。
【図７】本実施例の説明平面断面図である。
【図８】本実施例の説明平面断面図である。
【図９】本実施例に係る水準器の別例である。
【符号の説明】
【００６６】
１  気泡管測定部
２  取付基体
２Ａ  第一部
２Ｂ  第二部
２ａ  端部
３  器体ケース
３ａ  端部開口部
４  窓孔
５  組み付け当接面，傾斜案内面
６  組み付け当接面，傾斜案内面
７  締め付け部材，締め付けネジ
７ａ  ネジ頭
８  ネジ通孔
９  螺合孔
10  磁石体
11  位置決め係止部
12  切り欠き部
14  露出孔
Ｐ  押圧手段
Ｓ  スライド機構
【図１】
2007024790.tif 000003
【図２】
2007024790.tif 000004
【図３】
2007024790.tif 000005
【図４】
2007024790.tif 000006
【図５】
2007024790.tif 000007
【図６】
2007024790.tif 000008
【図７】
2007024790.tif 000009
【図８】
2007024790.tif 000010
【図９】
2007024790.tif 000011